(57)【要約】      （修正有）【課題】津波のように突然襲いかかる不測の水災害に対しても即座に対応することが可能な救命具を提供する。【解決手段】手動あるいは自動で膨張可能な正面視逆Ｕ字型の浮き袋と、非膨張時の折り畳まれた前記浮き袋を収納する正面視逆Ｕ字型の収納袋２と、を有する救命具であって、浮き袋の内縁周部は、収納袋の内側の内縁周部に結合しており、収納袋は外縁周部３において開閉可能となっており、収納袋には、収納袋を背負い鞄の肩ベルトに脱着させることが可能な脱着部材４が設けられていることを特徴とする。【選択図】図１
0003183998.tif 000002
【実用新案登録請求の範囲】
【請求項１】
手動あるいは自動で膨張可能な正面視逆Ｕ字型の浮き袋と、
非膨張時の折り畳まれた前記浮き袋を収納する正面視逆Ｕ字型の収納袋と、
を有する救命具であって、
前記浮き袋の内縁周部は、前記収納袋の内側の内縁周部に結合しており、
前記収納袋は外縁周部において開閉可能となっており、
前記収納袋には、前記収納袋を背負い鞄の肩ベルトに脱着させることが可能な脱着部材が設けられていることを特徴とする救命具。
【請求項２】
前記逆Ｕ字型の収納袋の湾曲部に、前記収納袋を前記背負い鞄の手提げ部に脱着させることが可能な脱着部材が設けられていることを特徴とする請求項１に記載の救命具。
【請求項３】
前記逆Ｕ字型の収納袋の両片先端部に、前記収納袋の両片先端部間の離間距離を調整することが可能なベルトが設けられていることを特徴とする請求項１又は２に記載の救命具。
【請求項４】
前記背負い鞄が、ランドセル又は防災避難リュックサックであることを特徴とする請求項１〜３のいずれかに記載の救命具。
【請求項５】
前記脱着部材が、紐、ベルト、ファスナー、又は面ファスナーであることを特徴とする請求項１〜４のいずれかに記載の救命具。
【請求項６】
前記脱着部材が面ファスナーであり、かつ、前記背負い鞄がランドセルである請求項１〜５のいずれかに記載の救命具。
【請求項７】
前記Ｕ字型の浮き袋の湾曲部に、ヘルメット状に膨らむ頭部保護部が設けられていることを特徴とする請求項１〜６のいずれかに記載の救命具。
【考案の詳細な説明】
【技術分野】
【０００１】
本考案は救命具に関するものであり、より詳しくは、津波等の水難事故の際に人命を救助するためのライフジャケット（救命胴衣）に関するものである。
【背景技術】
【０００２】
海上や水上において水難事故が発生した場合に、水難者が救命具、特にライフジャケット（救命胴衣）を着用しているか否かによって水難者の安全の確保の困難性が大きく異なる。このためライフジャケットは、ボート、川下り、釣り等のレジャーの際や、水中に落下する危険性のある作業を行う作業者等に広く用いられている。
【０００３】
前記ライフジャケットとしては、樹脂発泡材のような大きな浮力を有する浮力体や、手動又は自動でガスによって膨張する浮き袋を収納した袋体を着用者に装着するものが知られている。特に、着水時に手動又は自動で膨張するタイプのライフジャケットは、通常時は浮き袋が折り畳まれて袋体に収納されているため嵩張らず、作業等を妨げることが少ないため、より好ましく用いられている。
【０００４】
例えば、特許文献１では、膨張性浮袋をファスナーによって収納カバー内に収納されていても、浮袋の膨張に合わせてファスナーのエレメント同士のかみ合い部分を積極的に分離させる分離起点部を設けることで、ボンベ開栓時に膨張性浮袋を確実に展開させることができるライフジャケットが提案されている。
【先行技術文献】
【特許文献】
【０００５】
【特許文献１】特開２０１１−０６８２９７号公報
【考案の概要】
【考案が解決しようとする課題】
【０００６】
近年、日本では大小含めて地震が頻繁に発生しており、また、近く巨大地震が発生することも予想されているため、国民の防災に対する意識が非常に高まっている。特に沿岸部の地域では、地震の発生箇所及び規模によっては数十メートルもの津波が発生することが予想されており、津波に対する防災意識も高まっている。このような災害が発生し、巨大な津波に巻き込まれてしまった場合には、いくら泳力に長けた者であっても、浮き上がって安全を確保することは困難である。この際にライフジャケットを装着していれば浮き上がって呼吸を維持することが可能である。
【０００７】
しかしながら従来のライフジャケットは日常生活においては全く必要のないものであるため、一般家庭で保有していることは稀であり、また、保有していたとしても保管場所にたどり着くまでに津波に巻き込まれてしまうという問題がある。
本考案は、上記のような問題を解決すべく、津波のように突然襲いかかる不測の水災害に対しても即座に対応することが可能な救命具を提供することを課題とする。
【課題を解決するための手段】
【０００８】
上記課題を解決すべく本考案者が鋭意探求を重ねた結果、手動あるいは自動で膨張する正面視逆Ｕ字型の浮き袋を備える救命具を、背負い鞄の肩ベルトに装着しておくことが有効であることを見出し、本考案を完成させた。
【０００９】
即ち、本考案は以下の通りのものである。
（１）手動あるいは自動で膨張可能な正面視逆Ｕ字型の浮き袋と、
非膨張時の折り畳まれた前記浮き袋を収納する正面視逆Ｕ字型の収納袋と、
を有する救命具であって、
前記浮き袋の内縁周部は、前記収納袋の内側の内縁周部に結合しており、
前記収納袋は外縁周部において開閉可能となっており、
前記収納袋には、前記収納袋を背負い鞄の肩ベルトに脱着させることが可能な脱着部材が設けられていることを特徴とする救命具。
（２）前記逆Ｕ字型の収納袋の湾曲部に、前記収納袋を前記背負い鞄の手提げ部に脱着させることが可能な脱着部材が設けられていることを特徴とする、上記（１）に記載の救命具。
（３）前記逆Ｕ字型の収納袋の両片先端部に、前記収納袋の両片先端部間の離間距離を調整することが可能なベルトが設けられていることを特徴とする上記（１）又は（２）に記載の救命具。
（４）前記背負い鞄が、ランドセル又は防災避難リュックサックであることを特徴とする上記（１）〜（３）のいずれかに記載の救命具。
（５）前記脱着部材が、紐、ベルト、ファスナー、又は面ファスナーであることを特徴とする上記（１）〜（４）のいずれかに記載の救命具。
（６）前記脱着部材が面ファスナーであり、かつ、前記背負い鞄がランドセルである上記（１）〜（５）のいずれかに記載の救命具。
（７）前記Ｕ字型の浮き袋の湾曲部に、ヘルメット状に膨らむ頭部保護部が設けられていることを特徴とする上記（１）〜（６）のいずれかに記載の救命具。
【考案の効果】
【００１０】
本考案により、津波のように突然襲いかかる不測の水災害に対しても即座に対応することが可能な救命具を提供することができる。
【図面の簡単な説明】
【００１１】
【図１】（Ａ）浮き袋を収納袋に収納した状態の本考案に係る救命具の一例の正面視の概略図である。（Ｂ）浮き袋を収納袋に収納した状態の本考案に係る救命具の一例の背面視の概略図である。
【図２】（Ａ）浮き袋が膨張した状態の本考案に係る救命具の一例の正面視の概略図である。（Ｂ）浮き袋が膨張した状態の本考案に係る救命具の一例の背面視の概略図である。
【図３】浮き袋を収納袋に収納した状態の本考案に係る救命具をランドセルに取り付けた状態の一例を表す概略図である。
【図４】ランドセルに取り付けた本考案の一態様である救命具の浮き袋が膨張した状態を表す図である。
【考案を実施するための形態】
【００１２】
以下、適宜図面を参照して本考案の実施形態に係る救命具を詳細に説明する。
図１及び図２に示されるように、本考案の実施形態に係る救命具は、手動あるいは自動で膨張可能な正面視逆Ｕ字型の浮き袋１と、非膨張時の折り畳まれた前記浮き袋を収納する正面視逆Ｕ字型の収納袋２と、を有する救命具である。そして、前記浮き袋１の内縁周部は、前記収納袋２の内側の内縁周部に結合して一体となっている。
【００１３】
前記収納袋２は外縁周部３において開閉可能となっており、平常時においては図１に示すように、浮き袋１を折り畳んだ状態で収納袋２の内部に収納し、該収納袋２の外縁周部３を閉じておくことで救命具をコンパクトにしておくことができる。そして、津波に襲われたり、川や池に落水したりした場合等の緊急時においては、前記浮き袋１の内部に手動又は自動でガスを送り込むことで、図２に示すように、浮き袋１を膨張させて前記収納袋２から膨出させることができる。これにより、本考案の実施形態に係る救命具の使用者を水面に浮き上がらせて、使用者の呼吸を確保することができる。浮き袋１の素材としては、例えば、充分な強度と防水性を備える合成樹脂製のシートなど、公知のライフジャケットに用いられているものを利用することができる。
【００１４】
前記浮き袋１の内部にガスを送り込んで瞬時に膨張させるためには、浮き袋１を膨張させるために必要な充分量のガスが充填されたガスボンベを前記浮き袋１の外面に装着していることが好ましい。これにより、必要に応じてガスボンベから浮き袋１の内部にガスを送り込むことができる。
【００１５】
前記浮き袋１を手動で膨張させる場合には、ガスボンベを手動で作動させればよく、例えば、紐を引っ張ることでガスボンベが作動するようにしておくことが好ましい。また、いつでも前記紐を簡便に引くことができるように紐の先端には取っ手を設けておくことが好ましい。なお、ガスボンベは交換可能な構造としておくことが好ましい。これにより本考案の実施形態に係る救命具を使用した後にも、ガスボンベを交換することで、再びガスにより浮き袋１を膨張可能な状態にすることができる。
【００１６】
また、前記浮き袋１を自動で膨張させるためには、水を感知するとガスボンベが作動する機構を設けておけばよい。これにより、津波に襲われた場合や、予期せぬ落水等によって前記紐を瞬時に引っ張ることができない場合にも、自動でガスボンベが作動して前記浮き袋１を膨張させることができる。
【００１７】
なお、前記浮き袋１が膨張している際に、何らかの原因により内部のガス量が低下した場合に備えて、前記浮き袋１には、呼気を浮き袋１の内部に送り込めるように、逆止弁付きの管が設けられていることが好ましい。
【００１８】
また、前記収納袋２は外縁周部３において開閉可能となっているが、前記浮き袋１が膨張した場合に収納袋２からスムーズに浮き袋１が膨出するようにするためには、容易に開閉することが可能な機構であることが好ましい。このような機構としては、例えば、面ファスナー等が挙げられる。面ファスナーは脱着させる部材同士を押圧したり引っ張ったりするだけで作用させることができるため、容易に開閉を行うことができる。
【００１９】
また、本考案の実施形態に係る救命具は、前記収納袋２の背面側に、収納袋２を背負い鞄の肩ベルトに脱着させることが可能な脱着部材４が設けられている。前記脱着部材４は収納袋２を背負い鞄の肩ベルトに脱着可能なものであれば特に限定されず、例えば、紐、ベルト、ファスナー、又は面ファスナー等を利用することができる。特に、前記脱着部材４が面ファスナーである場合には、本考案の実施形態に係る救命具を背負い鞄の肩ベルトに装着することを非常に容易にすることができ、かつ強固に装着することができるため、好ましい。
【００２０】
前記脱着部材４を用いて前記収納袋２を背負い鞄の肩ベルトに固定しておくことで、常に背負い鞄に本考案の実施形態の救命具を装着しておくことができる。そして、前記収納袋２を背負い鞄の肩ベルトに装着した状態で該背負い鞄を背負うことで、救命具を着用した場合と同じ状態になることができる。
【００２１】
このため前記背負い鞄は、日常的に利用するものや、緊急時にすぐに背負うことのできる鞄であることが好ましい。このような背負い鞄としては、例えば、ランドセルや防災避難リュックサックを挙げることができる。図３に、本考案の実施形態の救命具をランドセルに取り付けた状態の概略図を示す。また、図４には、図３に示す救命具において収納袋が膨張した状態の概略図を示す。
【００２２】
ランドセルは小学生が日常的に利用するものであって、かつ、登下校中のように保護者の下から離れる場合にあっても背負っているものであるから、児童の安全を確保するために非常に有効である。特に、低学年の児童のように大人に比べて体力の少ない子供は１ｍ前後の津波であっても非常に危険な状態に陥る可能性があるが、本考案の実施形態に係る救命具を装着したランドセルを背負って登下校することで、津波や落水等の非常事態に見舞われた場合にも、水面に浮き上がって呼吸を確保することができる。また、在宅時や在校時等においてランドセルを背負っていない状態であっても、巨大津波の原因となる地震を感知した場合に、直ぐに前記救命具を装着したランドセルを背負って避難することで、危険を低減させることができる。
【００２３】
また、前記背負い鞄が防災避難リュックサックの場合にも、津波の発生が予想され緊急避難が必要な場合に、前記救命具を装着した防災避難リュックサックを背負って避難することにより、津波による危険性を飛躍的に低減させることができる。
【００２４】
なお、前述のように本考案の実施形態に係る救命具は浮き袋１が膨張していない状態にあっては非常にコンパクトになっているため、前記救命具を装着したランドセルや防災避難リュックサックを背負っても、使用者の行動を妨げることがないようにすることができる。
【００２５】
前記収納袋２をより強固に安定して背負い鞄に装着するためには、前記逆Ｕ字型の収納袋２の湾曲部に、前記収納袋２を前記背負い鞄の手提げ部に脱着させることが可能な脱着部材５が設けられていることが好ましい。背負い鞄の手提げ部は、背負い鞄の肩ベルトの付け根部分に設けられているものであり、ランドセルの場合には背かん首が相当する。このような背負い鞄の手提げ部に前記脱着部材５を用いて収納袋２の湾曲部を固定することで、救命具が肩ベルトに対して上下方向にずれることを防止することができる。
【００２６】
前記脱着部材５は収納袋２の湾曲部を背負い鞄の手提げ部に脱着可能なものであれば特に限定されず、例えば、紐、ベルト、ファスナー、又は面ファスナー等を利用することができる。特に、前記脱着部材５が面ファスナーである場合には、取り扱いが容易であり、かつ強固に装着することができるため、好ましい。
【００２７】
また、前記逆Ｕ字型の収納袋２の両片先端部には、前記収納袋２の両片先端部間の離間距離を調整することが可能なベルト６が設けられていることが好ましい。前記ベルト６を使用者の胴囲に応じて調整して固定することで、収納袋２の両片先端部間の離間距離を固定することができ、背負い鞄の肩ベルトが使用者から外れてしまうことを防止することができる。これにより、より安定して救命具を使用することができる。
【００２８】
なお、脱着部材４、脱着部材５、及びベルト６は、収納袋２から脱落することを防ぐため、収納袋２に縫い付けるなどして、強固に固定しておくことが好ましい。図１（Ｂ）において、×印及びこれを囲む四角印は、その部分で収納袋２とそれぞれの部材とを縫い付けていることを意味している。
【００２９】
また、前記Ｕ字型の浮き袋１の湾曲部には、ヘルメット状に膨らむ頭部保護部が設けられていることが好ましい。水災害の場合には水面を漂う物体から頭部を守ることも重要であり、浮き袋１の一部がヘルメット状に膨らむ頭部保護部を設けておくことで、着用者がこの膨張した頭部保護部を被って安全性を高めることができるようになる。
【実施例】
【００３０】
［実施例］
図３に表される、本考案の実施形態に係る救命具を装着したランドセルを、小学２年生と小学６年生の児童に背負ってもらった。なお、ランドセル内には、教科書やノートなど日常収納される程度の教材用具を収納した。
この状態で２人に海に入水してもらったところ、救命具が着水した時点で図４に示されるように収納袋が膨張した。そして、２人とも、足の届かない程の水位の地点でも、浮き袋による浮力が作用することで、頭部から肩、胸付近までの上体が海面から浮き上がり、無事に呼吸を確保することができた。なお、教材用具等、重量のある荷物を収容したランドセルを背負っていても、沈んだり、バランスを崩したりすることなく、安定して海面から浮き上がれることを確認することができた。
【符号の説明】
【００３１】
１    浮き袋
２    収納袋
３    収納袋の外縁周部
４    背負い鞄の肩ベルトに脱着させることが可能な脱着部材
５    背負い鞄の手提げ部に脱着させることが可能な脱着部材
６    ベルト
７    背負い鞄
８    背負い鞄の肩ベルト
９    紐
１０  取っ手
１１  ガスボンベ
１２  逆止弁付きの管
【図１】
0003183998.tif 000003
【図３】
0003183998.tif 000004
【図４】
0003183998.tif 000005
【図２】
0003183998.tif 000006